(57)【要約】【課題】  簡単な装置構成で、壁等に垂直に取り付いているパイプの下端にも容易にソケットを挿入接続することができるパイプ挿入接続装置を提供する。【解決手段】  本願発明のパイプ挿入接続装置は、上流側パイプ８０の下端にソケット９０を挿入接続するためのものであり、複数の棒状支持部材、上流側パイプ８０の下端近傍の周囲に固定チャックされるパイプ固定チャック部材、並びに、パイプ固定チャック部材のための締め付け固定部材を備えるパイプ固定チャック機構２０と、ソケット９０の下端開口に挿入する挿入部と、ソケット９０の下端部と係合する係合部を有し、ソケット９０の下端開口を覆うように設けられるソケット挿入板６０と、ジャッキを基板上に支持し、棒状支持部材の下端固定のための複数の切欠が形成され、ジャッキによりソケット挿入板６０を介してソケット９０に圧入力を付与する圧入ジャッキ機構７０を具備する。【選択図】図１
2006150469.tif 000002
【特許請求の範囲】
【請求項１】
上流側パイプの下端にソケットを挿入接続するためのパイプ挿入接続装置であって、
上下の適所にそれぞれ止め具を有する複数の棒状支持部材、周囲に棒状支持部材を受けるための複数の受け部を有し、上流側パイプの下端近傍の周囲に固定チャックされるパイプ固定チャック部材、並びに、パイプ固定チャック部材の固定チャック及び解除のための締め付け固定部材を備えるパイプ固定チャック機構と、
ソケットの下端開口に挿入する挿入部と、ソケットの下端部と係合する係合部を有し、ソケットの下端開口を覆うように設けられるソケット挿入板と、
圧入ジャッキを基板上に支持し、棒状支持部材の下端を受けるための複数の切欠が形成され、圧入ジャッキによりソケット挿入板を介してソケットに圧入力を付与する圧入ジャッキ機構を具備することを特徴とするパイプ挿入接続装置。
【請求項２】
上流側パイプとパイプ固定チャック部材との間に挿入される介在部材を備えることを特徴とする請求項１記載のパイプ挿入接続装置。
【請求項３】
ソケット挿入板が、異なる径のソケットの下端部と係合可能な複数の凹部を有することを特徴とする請求項１又は２に記載のパイプ挿入接続装置。
【請求項４】
複数の棒状支持部材の少なくとも上側部分がネジ部に形成され、上側の止め具がそのネジ部と螺合する止めネジであることを特徴とする請求項１から３のいずれかに記載のパイプ挿入接続装置。
【発明の詳細な説明】
【技術分野】
【０００１】
本発明は、上流側パイプの下端にソケットを挿入接続するためのパイプ挿入接続装置に関するものである。
【背景技術】
【０００２】
従来より、下水道や配水管、あるいは土木工事用配管等に用いられる硬質塩化ビニル等の樹脂製パイプ同士の接続を行うために、パイプ挿入接続装置が使用されてきた。
【０００３】
例えば、特許文献１には、接続すべきパイプの上面及び両側面を挟持する圧着体を備えた、固定側と移動側の一対のクランプ装置と、移動側のクランプ装置をパイプの軸方向に移動させるクランプ移動装置からなり、クランプ移動装置を、パイプの胴部外周に復帰ばねを遊嵌させ、後端部に操作レバー付きの油圧ポンプ及び油圧タンクを備えた油圧シリンダーを設けることにより構成したパイプ挿入接続装置が開示されている。
【０００４】
この装置では、油圧シリンダーの胴部は、移動側クランプ装置における上部圧着体取付部材の貫通孔に貫通しており、油圧シリンダーのピストンロッドの先端は、固定側クランプ装置に取り付けられた上部圧着体の一側面に連結している。また、この装置では、移動側クランプ装置におけるクランプアームには、後端部を固定した牽引索の先端部を、クランプアームに対向する固定側クランプ装置におけるクランプアームの滑車に巻回して油圧シリンダーに固定している。
【０００５】
一方、特許文献２には、固定側のパイプの内径の中心にパイプ引き込み用ワイヤーの一端を止めることができるロックアタッチメントと、移動側のパイプの縁部に装着してパイプの内径の中心に押し込む力が作用するようにしたパイプ押し込み金具、及び、パイプ引き込み用ワイヤーの他端を固定し、さらにパイプ押し込み金具に連結される押し込み装置により構成されたパイプ挿入接続装置が開示されている。
【０００６】
ところで、下水道や配水管、あるいは土木工事用配管等に用いられる硬質塩化ビニル等の樹脂製パイプは、竪樋として壁等に垂直に取り付けて使用される場合が多々ある。その場合、長尺の硬質塩化ビニルパイプ等では伸縮対策を行う必要があり、そのためゴムリングを内装した差込ソケットと称されるソケットが利用されている。
【０００７】
また、壁等に垂直に取り付けられているパイプの補修では、パイプの補修部分を切断し、切断したパイプの上流側の下端部にやりとりソケットと称されるソケットを接続して補修が行われている。
【特許文献１】実公平１−３７８９８号公報
【特許文献２】特開平７−２３９０５５号公報
【発明の開示】
【発明が解決しようとする課題】
【０００８】
しかしながら、上記従来のパイプ挿入接続装置は、接続しようとする２本のパイプを水平状態に配置し、一方を固定し、もう一方を移動させて挿入接続させるものであり、装置が大掛かりで、パイプ接続のために２本のパイプの芯合わせ等には熟練を必要としていた。
【０００９】
また、上記のように竪樋パイプの下端にソケットを挿入接続する場合、ソケットの径が大きく、重量が重いものとなれば、手で持って挿入接続作業を行うことは非常に困難なものとなる。上記従来のパイプ挿入接続装置でソケットの挿入接続を行おうとしても、構造的な問題から、既に壁等に垂直に取り付けられているパイプの下端にはソケットを挿入接続することはできない。
【００１０】
そこで、本願発明は、以上のとおりの事情に鑑みてなされたもので、簡単な装置構成で、壁等に垂直に取り付けられているパイプの下端にも容易にソケットを挿入接続をすることができるパイプ挿入接続装置を提供することを課題とする。
【課題を解決するための手段】
【００１１】
本発明のパイプ挿入接続装置は、上記課題を解決するため、第１には、上流側パイプの下端にソケットを挿入接続するためのものであり、上下の適所にそれぞれ止め具を有する複数の棒状支持部材、周囲に棒状支持部材を受けるための複数の受け部を有し、上流側パイプの下端近傍の周囲に固定チャックされるパイプ固定チャック部材、並びに、パイプ固定チャック部材の固定チャック及び解除のための締め付け固定部材を備えるパイプ固定チャック機構と、ソケットの下端開口に挿入する挿入部と、ソケットの下端部と係合する係合部を有し、ソケットの下端開口を覆うように設けられるソケット挿入板と、圧入ジャッキを基板上に支持し、棒状支持部材の下端を受けるための複数の切欠が形成され、圧入ジャッキによりソケット挿入板を介してソケットに圧入力を付与する圧入ジャッキ機構を具備することを特徴とする。
【００１２】
また、第２には、上記第１の発明において、上流側パイプとパイプ固定チャック部材との間に挿入される介在部材を備えることを特徴とする。
【００１３】
また、第３には、上記第１又は第２の発明において、ソケット挿入板が、異なる径のソケットの下端部と係合可能な複数の凹部を有することを特徴とする。
【００１４】
さらに、第４には、上記第１から第３のいずれかの発明において、複数の棒状支持部材の少なくとも上側部分がネジ部に形成され、上側の止め具がそのネジ部と螺合する止めネジであることを特徴とする。
【発明の効果】
【００１５】
本願請求項１の発明によれば、パイプ固定チャック機構のパイプ固定チャック部材を、上流側パイプの下端近傍の周囲に配置し、締め付け固定部材でパイプ固定チャック部材を締め付けて固定チャックするとともに、複数の棒状支持部材の上部を、パイプ固定チャック部材の受け部に受けさせて止め具により固定し、ソケット挿入板をソケットの下端開口に挿入、係合させた状態で圧入ジャッキ機構にセットし、棒状支持部材の下端部を圧入ジャッキ機構の基板の切欠に受けさせて止め具で固定し、圧入ジャッキにより圧入力を加える、という非常に簡単かつ容易な操作で、パイプの下端部にソケットを確実に挿入接続させることが可能となる。また、壁等に取り付けられているパイプの下端部にもソケットを容易に挿入接続させることができる。
【００１６】
本願請求項２の発明によれば、介在部材を介してパイプ固定チャック部材を上流側パイプの下端近傍に固定チャックするので、介在部材としてパイプ径に応じた寸法のものを用意しておくことにより、１種類のパイプ固定チャック部材で、寸法の異なる複数種類のパイプへのソケットの挿入接続が可能となる。
【００１７】
本願請求項３の発明によれば、ソケット挿入板として、異なる径のソケットの下端部と係合可能な複数の凹部を設けたので、１種類のソケット挿入板で寸法の異なるソケットの挿入接続に対応可能となる。
【００１８】
本願請求項４の発明によれば、複数の棒状支持部材の少なくとも上側部分をネジ部に形成し、上側の止め具としてそのネジ部と螺合する止めネジを用いるので、パイプ固定チャック部材と圧入ジャッキ機構の位置調整を容易に行うことができる。
【発明を実施するための最良の形態】
【００１９】
本願発明は上記のとおりの特徴をもつものであるが、以下にその実施の形態について説明する。
【００２０】
図１は、本願発明によるパイプ挿入接続装置の一実施形態を模式的に示す側面図（便宜上、棒状支持部材は1本のみ図示）、図２は、同上一実施形態におけるパイプ固定チャック機構の斜視図、図３は、同上一実施形態におけるソケット挿入板の斜視図、図４は、同上一実施形態における圧入ジャッキ機構の斜視図である。また、図５は、上記パイプ固定チャック機構を示す平面図、図６（ａ）、（ｂ）は、それぞれパイプ固定チャック機構のパイプ固定部材に設けられた、棒状支持部材の受け部を示す側面図及び平面図、図７（ａ）、（ｂ）、（ｃ）は、それぞれパイプ固定チャック部材のヒンジ連結部を示す、ヒンジ連結部の外側から見た側面図、平面図及び分解平面図、図８（ａ）、（ｂ）は、それぞれ締め付け固定部材を示す、締め付け固定部材の外側から見た側面図及び平面図であり、（ｃ）は締め付け固定具を示す平面図である。
【００２１】
図１に示すように、本実施形態のパイプ挿入接続装置１０は、パイプ固定チャック機構２０と、ソケット挿入板６０と、圧入ジャッキ機構７０を有する。８０は上流側パイプ（竪樋）で壁Ｗに取り付けられている。９０はソケットである。
【００２２】
パイプ固定チャック機構２０は、図５に示すように、パイプ固定チャック部材２１と、締め付け固定部材２２と、複数（本例では３本）の棒状支持部材２３を備える。
【００２３】
パイプ固定チャック部材２１は、例えばそれぞれ鋳鉄等を用いて形成されるハーフリング状部２１Ａと２１Ｂを有し、全体として一定幅（高さ方向の幅）、一定の厚みを有する略リング状をなしている。パイプ固定チャック部材２１の外周の下側の周方向３ヶ所には、図５及び図６に示すように、棒状支持部材２３の上側部分を受けるための、切欠２４を有する受け部２５が外側に向けてそれぞれ一体に形成されている。
【００２４】
また、図５及び図７に示すように、パイプ固定チャック部材２１のハーフリング状部２１Ａの一方の端部２６には、外側に向けて連結用突出部２７が設けられている。この連結用突出部２７は、図７に示すように、平面形状が半円状となってハーフリング状部２１Ｂ側に突き出ている連結部２８を有し、連結部２８は高さ方向の上下の部分が切り欠かれている。連結部２８にはピン２９を挿通させるための貫通孔３０が設けられている。
【００２５】
また、パイプ固定チャック部材２１のハーフリング状部２１Ｂの、端部２６と対向する側の端部３２には、外側に向けて連結用突出部３３が設けられている。この連結用突出部３３は、平面形状が半円状となってハーフリング状部２１Ａ側に突き出ている連結部３４を有し、連結部３４は高さ方向の上下の部分以外の中間の部分が切り欠かれて、空間３５が形成されている。連結部３４にはピン２９を挿通させるための貫通孔３６が設けられている。
【００２６】
このようにして、パイプ固定チャック部材２１のハーフリング状部２１Ａと２１Ｂは、連結部２８と３４の貫通孔３０と３６にピン２９を挿通させることにより、ヒンジ結合されている。なお、ピン２９には図示しない抜け止め手段が施してある。また、パイプ固定チャック部材２１のハーフリング状部２１Ａの端部２６とハーフリング状部２１Ｂの端部３２の間には空隙３７が形成されている。
【００２７】
一方、図１及び図８に示すように、パイプ固定チャック部材２１のハーフリング状部２１Ａの他方側の端部４０には外側に向けて締め付け固定用突出部４１が設けられている。また、ハーフリング状部２１Ｂの、端部４０と対向する側の端部４２には外側に向けて締め付け固定用突出部４３が設けられている。端部４０及び締め付け固定用突出部４１と、端部４２及び締め付け固定用突出部４３との間には間隙４４が形成されている。締め付け固定用突出部４１と４３はその高さ方向中央の部分が外側から内側の適所にわたって切り欠かれ、空間４５と４６が形成されている。その空間４５と４６には、図８（ｃ）に示すような締め付け固定具４７が配置されている。締め付け固定具４７は、上下に平行な面を持ち端部側が半円状の平面形状をなすヘッド４８とこれに連結されているネジ部４９とからなるボルト部５０と、止めネジ（ナット）５１により構成される。ボルト部５０のヘッド４８にはピン５２を挿通させるための貫通孔５３が設けられている。また、締め付け固定用突出部４１にもピン５２を挿通させるための貫通孔５４が設けられている。なお、ピン５２には図示しない抜け止め手段が施してある。本例では、締め付け固定部材２２は、締め付け固定用突出部４１と４３と、締め付け固定具４７より構成されることになる。
【００２８】
棒状支持部材２３は、鋼材等の強度の大きい金属材料から構成される。本例では３つの棒状支持部材２３を用いており、各棒状支持部材２３は、全体がネジ部５５に形成されたネジ棒となっており上下に止め具５６、５７を備えている。この止め具５６、５７としては、例えばネジ部５５と螺合するナットを用いることができる。棒状支持部材２３の止め具５６、５７により、パイプ固定チャック部材２１と圧入ジャッキ機構７０との間隔調整を行うことができるようになっている。
【００２９】
ソケット挿入板６０は、例えば鋳鉄のような金属材料から構成され、図３に示すように、本例では全体が略円板状となっており、周囲にソケット９０の下端部と係合する係合部６１と挿入部６２を有し、挿入部６２がソケット９０の下端開口に挿入されるようになっている。ソケット挿入板６０は、圧入ジャッキ機構７０による圧入の際にその圧入力をソケット９０に伝え、良好な圧入を行う役割をする。
【００３０】
圧入ジャッキ機構７０は、円板状の基板７１上に圧入ジャッキ７２が一体に設置された構成となっている。基板７１の周囲には棒状支持部材２３の下端部を受けて固定するための切欠７３が形成されている。圧入ジャッキ７２上部には加圧板７４が取り付けられている。
【００３１】
次に、本実施形態のパイプ接続挿入装置の動作について述べる。
【００３２】
先ず、接続すべき上流側パイプ８０の下端部近傍の適当な高さ位置のところにパイプ固定チャック部材２１を配置する。この配置にあたり、パイプ固定チャック部材２１のハーフリング状部材２１Ａと２１Ｂはピン２９によりヒンジ結合しているので、２つ割の形で上流側パイプ８０の周囲を挟み込むように配置することができる。そしてスパナ等の適当な工具を利用して、ボルト部５０のネジ部４９に螺合した止めネジ５１を回転させて締め付け、パイプ固定チャック部材２１を上流側パイプ８０の周囲に固定チャックさせる。
【００３３】
次に、ソケット９０の下端開口にソケット挿入板６０の挿入部６２を挿入するとともに、ソケット９０の下端部とソケット挿入板６０の係合部６１を係合させた状態で、これらを圧入ジャッキ機構７０の加圧板７４の上に載せる。そして、圧入ジャッキ機構７０と、ソケット挿入板６０を挿入したソケット９０を、パイプ固定チャック機構２０が固定チャックされた上流側パイプ８０の下側にもってきて、パイプ固定チャック機構２０の棒状支持部材２３を、それぞれ圧入ジャッキ機構７０の基板７１に設けられた切欠７３に受け入れさせ、下側の止め具（ナット）５７が基板７１の下側となるようにする。また、棒状支持部材２３の上側の止め具（ナット）５６をスパナ等の工具で締め付け、上流側パイプ８０とソケット９０をゆるい挿入状態として、パイプ固定チャック部材２１と圧入ジャッキ機構７０との間の固定を行う。次に、圧入ジャッキ７２を作動させて加圧板７４を上昇させ、圧入力をソケット挿入板６０を介してソケット９０に伝え、ソケット９０を上流側パイプ８０の下端部に圧入する。以上のようにして、簡単な作業によりソケット９０を上流側パイプ８０の下端に挿入させることができる。
【００３４】
挿入が完了すると、これまでの反対の操作により、パイプ固定チャック機構２０、ソケット挿入板６０、圧入ジャッキ機構７０を取り外す。
【００３５】
以上、本願発明を一実施形態に基づいて説明したが、もちろん本願発明はこの実施形態に限定されるものではなく、種々の変形、変更が可能である。
【００３６】
例えば、上記実施形態では、パイプ固定チャック部材２１を上流側パイプ８０に直接固定チャックさせたが、本願発明によれば、パイプ固定チャック部材２１の内側に図９に示すようなリング状の介在部材（当て物）１００を介在させて固定チャックを行うようにすることができる。介在部材１００の外径はパイプ固定チャック部材２１の内径とほぼ同じとし、内径を上流側パイプ８０の径寸法に応じて異なるものを数種類用意しておくことにより、1種類のパイプ固定チャック部材２１で、種々の径寸法の上流側パイプ８０へのソケット９０の挿入接続が可能となる。この場合、介在部材１００には１０１や１０２のような形で切り込みを入れることにより、確実な固定チャックが行えるようになる。
【００３７】
また、上記実施形態では、パイプ固定チャック部材２１を上流側パイプ８０に直接固定チャックさせたが、本願発明によれば、パイプ固定チャック部材２１の内側に硬質ゴム等からなる層を設けるようにしてもよい。
【００３８】
また、上記実施形態では、ソケット挿入板６０として、周囲に係合部（段部）６１を設けたものを用いたが、本願発明によれば、ソケット挿入板６０を、図１０に示すように、異なる径寸法のソケット９０の下端部と係合可能な複数の凹部９５を設けたものとすることにより、１種類のソケット挿入板６０で種々の径寸法の差込ソケット９０に対する使用が可能となる。
【００３９】
また、上記実施形態では、棒状支持部材２３の全体にネジ部５５を形成したが、本願発明によれば、下側の止め具５７を固定的に設け、棒状支持部材２３の上側部分のみネジ部として、そこに上側の止め具５６を備えるようにしてもよい。また、棒状支持部材２３の上側と下側の適所にネジ部を形成するようにしてもよい。さらに、下側の止め具（ナット）５７を２個備えるようにして、切欠７３のところで上下から基板７１を挟み込むような固定方法としてもよい。
【００４０】
また、上記実施形態では、棒状支持部材２３を３本用いたが、本願発明によれば、上流側パイプ８０の径寸法によっては、４本以上用いるようにしてもよい。
【００４１】
また、上記実施形態では、パイプ固定チャック部材２１を２つのハーフリング状部２１Ａと２１Ｂをヒンジ結合させたが、本願発明によれば、ケースによっては、このような結合をしないでリング状のものとしてもよい。また、締め付け固定部材２２についても、ケースによっては、ボルトとナットによる簡易な締め付け固定方法としてもよい。
【００４２】
さらに、上記実施形態では、ソケット９０を用いたが、本願発明によれば、それ以外のタイプのソケットを使用して挿入接続を行うことができる。
【図面の簡単な説明】
【００４３】
【図１】本願発明によるパイプ挿入接続装置の一実施形態を示す側面図である。
【図２】上記実施形態におけるパイプ固定チャック機構を示す斜視図である。
【図３】上記実施形態におけるソケット挿入板を示す斜視図である。
【図４】上記実施形態における圧入ジャッキ機構を示す斜視図である。
【図５】上記実施形態におけるパイプ固定チャック機構を示す平面図である。
【図６】（ａ）、（ｂ）は、それぞれパイプ固定チャック機構のパイプ固定部材に設けられた、棒状支持部材の受け部を示す側面図及び平面図である。
【図７】（ａ）、（ｂ）、（ｃ）は、それぞれパイプ固定チャック部材のヒンジ連結部を示す、ヒンジ連結部の外側から見た側面図、平面図及び分解平面図である。
【図８】（ａ）、（ｂ）は、それぞれ締め付け固定部材を示す、締め付け固定部材の外側から見た側面図及び平面図であり、（ｃ）は締め付け固定具を示す平面図である。
【図９】（ａ）、（ｂ）は、介在部材（当て物）の二例を示す斜視図である。
【図１０】（ａ）、（ｂ）は、ソケット挿入板の変形例を示す平面図及びＸ−Ｘ線断面図である。
【符号の説明】
【００４４】
１０    パイプ挿入接続装置
２０    パイプ固定チャック機構
２１    パイプ固定チャック部材
２１Ａ、２１Ｂ  ハーフリング状部
２２    締め付け固定部材
２３    棒状支持部材
２５    受け部
２７、３３    連結用突出部
２８、３４    連結部
２９    ピン
３７    空隙
４１、４３    締め付け固定用突出部
４７    締め付け固定具
５５    ネジ部
５６、５７    止め具
６０    ソケット挿入板
６１    係合部
６２    挿入部
７０    圧入ジャッキ機構
７１    基板
７２    圧入ジャッキ
７３    切欠
７４    加圧板
８０    上流側パイプ
９０    ソケット
１００    介在部材
Ｗ    壁
【図１】
2006150469.tif 000003
【図２】
2006150469.tif 000004
【図３】
2006150469.tif 000005
【図４】
2006150469.tif 000006
【図５】
2006150469.tif 000007
【図６】
2006150469.tif 000008
【図７】
2006150469.tif 000009
【図８】
2006150469.tif 000010
【図９】
2006150469.tif 000011
【図１０】
2006150469.tif 000012